(57)【要約】【課題】屋根下地材に対し天井板を止めネジや保持具などを一切用いることなく簡単かつ迅速に張付け施工できる天井板の張付け構造を提供する。【解決手段】屋根下地材１がリップ付き溝形鋼よりなる。天井板１０の一側縁に屋根下地材１の下リップ６に引掛けられるＬ形状の雄側係合片１３が、他側縁に雄側係合片１３の上側に重なり状に係合可能な鉤形状に形成された雌側係合片１２がそれぞれ連設される。隣り合う天井板１０，１０のうち、先ず、一方の天井板１０の雄側係合片１３を屋根下地材１の下リップ６に引掛け、次いで他方の天井板１０の雌側係合片１２を雄側係合片１３の上側に重なり合うように引掛けるという手順で天井板１０を順次張付けられる。【選択図】図１
2007239360.tif 000002
【特許請求の範囲】
【請求項１】
屋根板（７）を支持する屋根下地材（１）の下方に金属製の天井板（１０）を張付ける天井板の張付け構造において、
前記天井板（１０）の主体部（１１）の一側縁に雌側係合片（１２）を、他側縁に雄側係合片（１３）をそれぞれ連設し、隣り合う天井板のうち一方の天井板（１０）の雄側係合片（１３）もしくは雌側係合片（１２）を前記屋根下地材（１）に引掛け、他方の天井板（１０）の雌側係合片（１２）を前記一方の天井板（１０）の雄側係合片（１３）に、もしくは他方の天井板（１０）の雄側係合片（１３）に前記一方の天井板（１０）の雌側係合片（１２）に係合させていることを特徴とする、天井板の張付け構造。
【請求項２】
前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雄側係合片（１３）が前記下リップ（６）に引掛けられるＬ形状に形成されており、前記雌側係合片（１２）が前記雄側係合片の上側に重なり合って係合可能な鉤形状に形成されている、請求項１記載の天井板の張付け構造。
【請求項３】
前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雄側係合片（１３）が前記下リップ（６）に引掛けられる下方開放状の溝形状に形成されており、前記雌側係合片（１２）が前記雄側係合片（１３）の上側に重なり合って係合可能な下方開放状の溝形状に形成されている、請求項１記載の天井板の張付け構造。
【請求項４】
前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雌側係合片（１２）が、前記下リップ（６）に引掛けられる鉤形状に形成された鉤形部（２７）と、この鉤形部（２７）と主体部（１１）との連接部に外向きに開口する溝部（２８）とを有する形に形成されており、前記雄側係合片（１３）が前記溝部（２８）に差込み可能な平坦形状に形成されている、請求項１記載の天井板の張付け構造。
【請求項５】
前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雌側係合片（１２）が、前記下リップ（６）に引掛けられる下方開放状の溝形状に形成された溝形部（３４）と、この溝形部に設けた係合孔（３５）とを有する形に形成されており、前記雄側係合片（１３）が前記係合孔に係合可能な下向き折曲片（４３）を有する形に形成されている、請求項１記載の天井板の張付け構造。
【請求項６】
前記屋根下地材（１）がウェブ（４４）と、このウェブの上下端に連設した上下フランジ（４５），（４６）とを有する溝形鋼よりなり、前記雄側係合片（１３）が、前記下フランジ（４６）に引掛けられる溝形部（４９）及び上向き片（５１）を有する形に形成されており、前記雌側係合片（１２）が前記上向き片（５１）に係合可能な溝形部（５４）を有する形に形成されている、請求項１記載の天井板の張付け構造。
【請求項７】
前記屋根下地材（１）がウェブ（４４）と、このウェブの上下端に連設した上下フランジ（４５），（４６）とを有する溝形鋼よりなり、かつ前記屋根板（７）を固定するフックボルト（５５）をこれのフック部（５５ａ）が前記下フランジ（４６）に係合された状態に備えており、前記雄側係合片（１３）が、前記フック部（５５ａ）に引掛けられる下方開放状の溝形状に形成されており、前記雌側係合片（１２）が前記雄側係合片（１３）の上側に重なり合って係合可能な下方開放状の溝形状に形成されている、請求項１記載の天井板の張付け構造。
【請求項８】
前記屋根下地材（１）が垂直フランジ（６４）と、この垂直フランジの上端に連設した水平フランジ（６５）とを有する山形鋼よりなり、かつ前記屋根板（７）を固定するフックボルト（６６）をこれのフック部（６６ａ）が前記垂直フランジの下端縁に係合された状態に備えており、前記雄側係合片（１３）が前記フック部（６６ａ）に引掛けられる下方開放状の溝形状に形成されており、前記雌側係合片（１２）が前記雄側係合片（１３）の上側に重なり合って係合可能な下方開放状の溝形状に形成されている、請求項１記載の天井板の張付け構造。
【発明の詳細な説明】
【技術分野】
【０００１】
本発明は、屋根板を支持する野縁や母屋など屋根下地材の下方に天井板を張付ける天井板の張付け構造に関する。
【背景技術】
【０００２】
従来、天井板の張付け構造として、たとえば、屋根板が露出する天井面を装飾、化粧の為に天井パネルや天井板（以下、天井板という。）で被い隠し、該天井板は屋根板を支持する野縁よりなる屋根下地材に対し止めネジや保持具で固定するものがある（例えば、特許文献１、２参照。）。
【０００３】
【特許文献１】特公平６−１０３８１号公報
【特許文献２】実公平７−３４９８９号公報
【発明の開示】
【発明が解決しようとする課題】
【０００４】
しかしながら、屋根下地材に対し天井板を止めネジや保持具で固定する上記天井板の張付け構造では、止めネジや保持具の取付けが煩わしく多くの手間と時間がかかり、天井板の張付け作業性の低下を来たす。また、屋根下地材に止めネジや保持具を止め付けるために穴が開けられるため、屋根下地材の強度低下を来たすという問題があった。また、既設の屋根板が石綿にセメントを混ぜて作られたスレートであり、このスレート屋根板の改修に際し、アスベストの飛散防止対策として既設のスレート屋根板の屋内面側を天井板で覆い、該天井板はスレート屋根板を支持する母屋など屋根下地材にビス等で止め付けるが、こうした場合は前述のような作業性の低下や屋根下地材の強度低下の問題以外に、屋根下地材に止めネジや保持具を止め付けるために穴が開けられる時に振動や切屑が発生し、またその振動によりアスベストを含む粉塵の飛散が発生する危惧もある。
【０００５】
本発明は、このような問題を解決するためになされたものであり、その目的とするところは、屋根板を支持する屋根下地材の下方に金属製の天井板を張付ける天井板の張付け構造において、屋根下地材に対し天井板を止めネジや保持具などを一切用いることなく簡単かつ迅速に張付け施工できる天井板の張付け構造を提供することにある。
【課題を解決するための手段】
【０００６】
本発明の天井板の張付け構造は、請求項１に記載のように、発明の内容の理解を助けるために図１〜図８に付した符号を参照して説明すると、屋根板（７）を支持する屋根下地材（１）の下方に金属製の天井板（１０）を張付ける天井板の張付け構造において、前記天井板（１０）の主体部（１１）の一側縁に雌側係合片（１２）を、他側縁に雄側係合片（１３）をそれぞれ連設し、隣り合う天井板（１０），（１０）のうち一方の天井板（１０）の雄側係合片（１３）もしくは雌側係合片（１２）を前記屋根下地材（１）に引掛け、他方の天井板（１０）の雌側係合片（１２）を前記一方の天井板（１０）の雄側係合片（１３）に、もしくは他方の天井板（１０）の雄側係合片（１３）に前記一方の天井板（１０）の雌側係合片（１２）に係合させていることに特徴を有するものである。
このような構成によれば、隣り合う天井板のうち一方の天井板の雄側係合片または雌側係合片を前記屋根下地材に引掛け、他方の天井板の雌側係合片を前記一方の天井板の雄側係合片に、または他方の天井板の雄側係合片に前記一方の天井板の雌側係合片に係合させるだけで足り、屋根下地材に対し天井板をネジや保持具などを用いることなく簡単かつ迅速に天井板を張付けることができる。
【０００７】
請求項１記載の天井板の張付け構造は、請求項２記載のように、図１に付した符号を参照して説明すると、前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雄側係合片（１３）が前記下リップ（６）に引掛けられるＬ形状に形成されており、前記雌側係合片（１２）が前記雄側係合片の上側に重なり合って係合可能な鉤形状に形成されたものとすることができる。
これによれば、隣り合う天井板のうち、先ず、一方の天井板の雄側係合片を屋根下地材の下リップに引掛け、次いで他方の天井板の雌側係合片を前記雄側係合片の上側に重なり合うように引掛けるという手順で天井板を順次張付けることができ、リップ付き溝形鋼よりなる屋根下地材に対し天井板を簡単かつ迅速に張付けることができる。
【０００８】
請求項１記載の天井板の張付け構造は、請求項３記載のように、図２に付した符号を参照して説明すると、前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雄側係合片（１３）が前記下リップ（６）に引掛けられる下方開放状の溝形状に形成されており、前記雌側係合片（１２）が前記雄側係合片（１３）の上側に重なり合って係合可能な下方開放状の溝形状に形成されたものとすることができる。
これによれば、隣り合う天井板のうち、先ず、一方の天井板の雄側係合片を屋根下地材の下リップに引掛け、次いで他方の天井板の雌側係合片を前記雄側係合片の上側に重なり合うように引掛けるという手順で天井板を順次張付けることができ、リップ付き溝形鋼よりなる屋根下地材に対し天井板を簡単かつ迅速に張付けることができる。
【０００９】
請求項１記載の天井板の張付け構造は、請求項４記載のように、図３に付した符号を参照して説明すると、前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雌側係合片（１２）が、前記下リップ（６）に引掛けられる鉤形状に形成された鉤形部（２７）と、この鉤形部（２７）と主体部（１１）との連接部に外向きに開口する溝部（２８）とを有する形に形成されており、前記雄側係合片（１３）が前記溝部（２８）に差込み可能な平坦形状に形成されたものとすることができる。
これによれば、隣り合う天井板のうち、先ず、一方の天井板の雌側係合片の鉤形部を屋根下地材の下リップに引掛け、次いで他方の天井板の雄側係合片を前記雌側係合片の溝部に差し込むという手順で天井板を順次張付けることができ、リップ付き溝形鋼よりなる屋根下地材に対し天井板を簡単かつ迅速に張付けることができる。
【００１０】
請求項１記載の天井板の張付け構造は、請求項５記載のように、図４、図５に付した符号を参照して説明すると、前記屋根下地材（１）がウェブ（２）と、このウェブの上下端に連設した上下フランジ（３），（４）と、この上下フランジにそれぞれ付けた上下リップ（５），（６）とを有するリップ付き溝形鋼よりなり、前記雌側係合片（１２）が、前記下リップ（６）に引掛けられる下方開放状の溝形状に形成された溝形部（３４）と、この溝形部に設けた係合孔（３５）とを有する形に形成されており、前記雄側係合片（１３）が前記係合孔に係合可能な下向き折曲片（４３）を有する形に形成されたものとすることができる。
これによれば、隣り合う天井板のうち、先ず、一方の天井板の雌側係合片の溝形部を屋根下地材の下リップに引掛け、次いで他方の天井板の雄側係合片の下向き折曲片を前記雌側係合片の係合孔に係合するという手順で天井板を順次張付けることができ、リップ付き溝形鋼よりなる屋根下地材に対し天井板を簡単かつ迅速に張付けることができる。
【００１１】
請求項１記載の天井板の張付け構造は、請求項６記載のように、図６に付した符号を参照して説明すると、前記屋根下地材（１）がウェブ（４４）と、このウェブの上下端に連設した上下フランジ（４５），（４６）とを有する溝形鋼よりなり、前記雄側係合片（１３）が、前記下フランジ（４６）に引掛けられる溝形部（４９）及び上向き片（５１）を有する形に形成されており、前記雌側係合片（１２）が前記上向き片（５１）に係合可能な溝形部（５４）を有する形に形成されたものとすることができる。
これによれば、隣り合う天井板のうち、先ず、一方の天井板の雄側係合片の溝形部を屋根下地材の下フランジに引掛け、次いで他方の天井板の雌側係合片の溝形部を前記雄側係合片の上向き片に係合するという手順で天井板を順次張付けることができ、溝形鋼よりなる屋根下地材に対し天井板を簡単かつ迅速に張付けることができる。
【００１２】
請求項１記載の天井板の張付け構造は、請求項７記載のように、図７に付した符号を参照して説明すると、前記屋根下地材（１）がウェブ（４４）と、このウェブの上下端に連設した上下フランジ（４５），（４６）とを有する溝形鋼よりなり、かつ前記屋根板（７）を固定するフックボルト（５５）をこれのフック部（５５ａ）が前記下フランジ（４６）に係合された状態に備えており、前記雄側係合片（１３）が、前記フック部（５５ａ）に引掛けられる下方開放状の溝形状に形成されており、前記雌側係合片（１２）が前記雄側係合片（１３）の上側に重なり合って係合可能な下方開放状の溝形状に形成されたものとすることができる。
これによれば、隣り合う天井板のうち、先ず、一方の天井板の雄側係合片をフックボルトのフック部に引掛け、次いで他方の天井板の雌側係合片を前記雄側係合片の上側に重ねて係合するという手順で天井板を順次張付けることができ、溝形鋼よりなる屋根下地材に対し天井板を簡単かつ迅速に張付けることができる。
【００１３】
請求項１記載の天井板の張付け構造は、請求項８記載のように、図８に付した符号を参照して説明すると、前記屋根下地材（１）が垂直フランジ（６４）と、この垂直フランジの上端に連設した水平フランジ（６５）とを有する山形鋼よりなり、かつ前記屋根板（７）を固定するフックボルト（６６）をこれのフック部（６６ａ）が前記垂直フランジの下端縁に係合された状態に備えており、前記雄側係合片（１３）が前記フック部（６６ａ）に引掛けられる下方開放状の溝形状に形成されており、前記雌側係合片（１２）が前記雄側係合片（１３）の上側に重なり合って係合可能な下方開放状の溝形状に形成されたものとすることができる。
これによれば、隣り合う天井板のうち、先ず、一方の天井板の雄側係合片をフックボルトのフック部に引掛け、次いで他方の天井板の雌側係合片を前記雄側係合片の上側に重ねて係合するという手順で天井板を順次張付けることができ、山形鋼よりなる屋根下地材に対し天井板を簡単かつ迅速に張付けることができる
【発明の効果】
【００１４】
本発明の天井板の張付け構造によれば、屋根下地材に対し天井板を止めネジや保持具などを一切用いることなく簡単かつ迅速に張付け施工できる。また、かかる施工では屋根下地材に穴を開けないため屋根下地材の強度低下を防ぐことができるとともに、屋根下地材に穴を開ける時のような振動や切屑が発生せず、既設屋根板がスレートである場合も振動による粉塵の飛散を防止できる。
【発明を実施するための最良の形態】
【００１５】
本発明の好適な実施形態を図面に基づき説明する。図１は本発明の第１実施例（請求項１，２記載の発明に対応）を示す天井板の張付け構造の縦断面図である。
【００１６】
図１において、１は母屋等の屋根下地材で、ウェブ２とこのウェブ２の上下端に連設した上下フランジ３，４と、上下フランジ３，４にそれぞれ付けた上下リップ５，６とを有するリップ付き溝形鋼よりなる。７は既設の波形スレート等屋根板または新設の屋根板で、屋根下地材１の上にフックボルト８で固定されている。フックボルト８はこれの下端のフック部８ａが屋根下地材１の上リップ５に引掛けられ、屋根板７を貫通して該屋根板７の上方に突出する雄ねじ部８ｂにナット９が締付けられている。
【００１７】
１０は屋根下地材１の下方に張付けられる金属製の天井板であり、薄鋼板（例えば、０．５ｍｍ厚鋼板）等からなって軽量で適度の撓み性を有する。この天井板１０は平板状の主体部１１の一側縁と他側縁間の寸法が屋根下地材１，１間のピッチに合うように、またその一側縁に鉤形状の雌側係合片１２が、他側縁にＬ形状の雄側係合片１３がそれぞれ連設するように成型している。雌側係合片１２は主体部１１の一側縁から下リップ６の高さ程度に起立するよう折曲した上向き折曲片１４と、この上向き折曲片１４の上端から外方へ水平に張り出した外向き張出片１５、およびこの外向き張出片１５の外端に下向きに鋭角に曲げた下向き折曲片１６とを有する形に形成している。雄側係合片１３は主体部１１の他側縁から下リップ６の高さ程度に起立するよう折曲した上向き折曲片１７と、この上向き折曲片１７の上端から内方へ水平に張り出した内向き張出片１８とを有する形に形成している。
【００１８】
いま、上記天井板１０を屋根下地材１の下方に張付けるには、隣り合う天井板１０，１０のうち、先ず、一方の天井板１０の雄側係合片１３を屋根下地材１の下リップ６に引掛け、次いで他方の天井板１０の雌側係合片１２を前記雄側係合片１３の上側に重なり合って係合するように引掛けるという手順で天井板１０を順次屋根下地並び方向へ張付けて行く。因みに、他方の天井板１０の雌側係合片１２を一方の天井板１０の雄側係合片１３の上側に重なり合うよう下リップ６に引掛ける作業は他方の天井板１０の主体部１１、雌側係合片１２の撓み性を利用して容易に行うことができる。
【００１９】
このように、天井板１０はリップ付き溝形鋼よりなる屋根下地材１に対しネジや保持具を一切用いることなく簡単かつ迅速に張付けることができる。また、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。
隣り合う天井板１０，１０は屋根下地材１に対し雌雄側係合片１２，１３同士を引掛けてつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００２０】
図２は本発明の第２実施例（請求項１，３記載の発明に対応）を示す天井板の張付け構造の縦断面図であり、この実施例では、天井板１０が主体部１１の一側縁に下方開放状の溝形状の雄側係合片１３を、他側縁に前記雄側係合片１３の上側に係合可能な下方開放状の溝形状の雌側係合片１２をそれぞれ連設している点が第１実施例の天井板１０と異なり、その他の屋根下地材１の断面形状や屋根板７については第１実施例のそれらと同一であるため、同一部材には同一符号を付してその説明を省略する。
上記天井板１０の雄側係合片１３は主体部１１の一側縁から下リップ６の高さ程度に起立するよう折曲した上向き折曲片２１と、この上向き折曲片２１の上端から内方へ水平に張り出した内向き張出片２２、およびこの内向き張出片２２の内端を下向きに曲げた下向き折曲片２３とを有する形に形成している。天井板１０の雌側係合片１２は主体部１１の他側縁から下リップ６の高さ程度に起立するよう折曲した上向き折曲片２４と、この上向き折曲片２４の上端から外方へ水平に張り出した外向き折曲片２５と、この外向き折曲片２５の外端を下向きに曲げた下向き折曲片２６とを有する形に形成し、この雌側係合片１２の溝幅は雄側係合片１３を内嵌できるよう雄側係合片１３の溝幅より少し広幅に形成している。
【００２１】
この実施例において、天井板１０を屋根下地材１の下方に張付けるには、隣り合う天井板１０，１０のうち、先ず、一方の天井板１０の雄側係合片１３を屋根下地材１の下リップ６に引掛け、次いで他方の天井板１０の雌側係合片１２を前記雄側係合片１３の上側に重ねて係合するように引掛けるという手順で天井板１０を順次張付けて行けばよい。
したがって、第１実施例の場合と同様に、リップ付き溝形鋼よりなる屋根下地材１に対し天井板１０をネジや保持具を一切用いることなく簡単かつ迅速に張付けることができる。また、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１に対し雌雄側係合片１２，１３同士を引掛けてつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００２２】
図３は本発明の第３実施例（請求項１，４記載の発明に対応）を示す天井板の張付け構造の縦断面図であり、この実施例では、天井板１０が主体部１１の一側縁に鉤形状に形成された鉤形部２７と、この鉤形部２７と主体部１１との連接部に外向きに開口する溝部２８とを有する形に形成された雌側係合片１２が、他側縁に、前記溝部２８に差込み可能な平坦形状に形成された雄側係合片１３がそれぞれ連設されている点が第１、２実施例の各天井板１０と異なり、その他の屋根下地材１の断面形状や屋根板７については第１実施例のそれらと同一であるため、同一部材には同一符号を付してその説明を省略する。
上記天井板１０の雌側係合片１２は主体部１１の一側縁から下リップ６の高さ程度に起立するよう折曲した上向き折曲片３１と、この上向き折曲片３１の上端から内方へ水平に張り出した内向き張出片３２、およびこの内向き張出片３２の内端に下向きに鋭角に曲げた下向き折曲片３３とを有する形に形成している。天井板１０の雄側係合片１３は前記溝部２８に差込み可能な平坦形状に形成している。
【００２３】
この実施例において、天井板１０を屋根下地材１の下方に張付けるには、隣り合う天井板１０，１０のうち、先ず、一方の天井板１０の雌側係合片１２の鉤形部１７を屋根下地材１の下リップ６に引掛け、次いで他方の天井板１０の雄側係合片１３を前記雌側係合片１２の溝部２８に差し込むという手順で天井板１０を順次張付けて行けばよい。
したがって、第１実施例の場合と同様に、リップ付き溝形鋼よりなる屋根下地材１に対し天井板１０をネジや保持具を一切用いることなく簡単かつ迅速に張付けることができる。また、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１に対し一方の天井板１０の雌側係合片１２を引掛け、該雌側係合片１２の溝部２８に他方の天井板１０の雄側係合片１３を差し込むようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００２４】
図４は本発明の第４実施例（請求項１，５記載の発明に対応）を示す天井板の張付け構造の縦断面図、図５は天井板の斜視図であり、この実施例では、天井板１０が主体部１１の一側縁に、下方開放状の溝形状の溝形部３４とこの溝形部３４に設けた係合孔３５とを有する形に形成された雌側係合片１２を、他側縁に前記係合孔３５に係合可能な形の雄側係合片１３をそれぞれ連設している点が、第１〜３実施例の各天井板１０と異なり、その他の屋根下地材１の断面形状や屋根板７については第１実施例のそれらと同一であるため、同一部材には同一符号を付してその説明を省略する。
上記天井板１０の雌側係合片１２の溝形部３４は、主体部１１の一側縁から下リップ６の高さ程度に起立するよう折曲した上向き折曲片３８と、この上向き折曲片３８の上端から内方へ水平に張り出した内向き張出片３９、およびこの内向き張出片３９の内端を下向きに曲げた下向き折曲片４０とを有する形に形成し、係合孔３５は上向き折曲片３８のその長手方向に所定間隔ごとに列設している。天井板１０の雄側係合片１３は主体部１１の他側縁から前記上向き折曲片３８の高さより低い高さに起立するよう折曲した上向き折曲片４１と、この上向き折曲片４１の上端から前記係合孔３５のピッチ間隔に対応して外方へ水平に張り出した複数個の外向き折曲片４２と、各外向き折曲片４２の外端を下向きに曲げた下向き折曲片４３とを有する形に形成している。
【００２５】
この実施例において、天井板１０を屋根下地材１の下方に張付けるには、隣り合う天井板１０，１０のうち、先ず、一方の天井板１０の雌側係合片１２の溝形部３４を屋根下地材１の下リップ６に引掛け、次いで他方の天井板１０の雄側係合片１３の下向き折曲片４３を前記雌側係合片１２の係合孔３５に係合するという手順で天井板１０を順次張付けて行けばよい。
したがって、第１実施例の場合と同様に、リップ付き溝形鋼よりなる屋根下地材１に対し天井板１０をネジや保持具を一切用いることなく簡単かつ迅速に張付けることができる。また、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１に対し雌雄側係合片１２，１３同士を引掛けてつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００２６】
図６は本発明の第５実施例（請求項１，６記載の発明に対応）を示す天井板の張付け構造の縦断面図であり、この実施例では、屋根下地材１の断面形状がウェブ４４とこのウェブ４４の上下端に連設した上下フランジ４５，４６とを有する溝形鋼よりなる点、および天井板１０が主体部１１の一側縁に鉤形状の雄側係合片１３を、他側縁に前記雄側係合片１３に重ねて係合可能な形の雌側係合片１２をそれぞれ連設している点が、第１〜４実施例の各屋根下地材１、および天井板１０と異なっている。屋根板７が屋根下地材１に対しフックボルト（図示せず）で固定されることは第１〜４実施例の場合と同様である。
上記天井板１０の雄側係合片１３は、主体部１１の一側縁に下フランジ４６の下面に対し外嵌するよう上方開放状の溝形状に形成された溝形部４９と、この溝形部４９の開口一側縁の上端から内向きに張り出して下フランジ４６の先端部上面を覆うように形成されたリップ５０、およびリップ５０の端縁から上向きに立ち上げた上向き片５１とを有する形に形成している。天井板１０の雌側係合片１２は主体部１１の他側縁から下フランジ４６の厚み程度の高さに起立させた上向き折曲片５２と、この上向き折曲片５２の上端から外向きに張り出した外向き片５３、およびこの外向き片５３の外端に下方開放状の溝形状に折曲した溝形部５４とを有する形に形成している。
【００２７】
この実施例において、天井板１０を屋根下地材１の下方に張付けるには、隣り合う天井板１０，１０のうち、先ず、一方の天井板１０の雄側係合片１３の溝形部４９を屋根下地材１の下フランジ４６に引掛け、次いで他方の天井板１０の雌側係合片１２の溝形部５４を前記雄側係合片１３の溝形部４９のリップ５０上に重ねて上向き片５１に嵌係合するという手順で天井板を順次張付けて行けばよい。
したがって、溝形鋼よりなる屋根下地材１に対し天井板１０をネジや保持具を一切用いることなく簡単かつ迅速に張付けることができる。また、第１実施例の場合と同様に、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１に対し雌雄側係合片１２，１３同士を引掛けてつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００２８】
図７は本発明の第６実施例（請求項１，７記載の発明に対応）を示す天井板の張付け構造の縦断面図であり、この実施例では、屋根下地材１が、ウェブ４４とこのウェブ４４の上下端に連設した上下フランジ４５，４６とを有する溝形鋼よりなり、かつ屋根板７を固定するフックボルト５５をこれのフック部５５ａが下フランジ４６に係合された状態に備えている。フックボルト５５の上端の雄ねじ部５５ｂは屋根板７の上方へ貫通してナット９で締付けられている。そして、天井板１０は主体部１１の一側縁にフック部５５ｂに引掛けられるよう下方開放状の溝形状に形成された雄側係合片１３を、主体部１１の他側縁に、前記雄側係合片１３の上側に重なり合って係合可能な下方開放状の溝形状の雌側係合片１２をそれぞれ連設している。
上記天井板１０の雄側係合片１３は主体部１１の一側縁からフック部５５ａの高さ程度に起立するよう折曲した上向き折曲片５８と、この上向き折曲片５８の上端から内方へ水平に張り出した内向き張出片５９、およびこの内向き張出片５９の内端を下向きに曲げた下向き折曲片６０とを有する形に形成している。天井板１０の雌側係合片１２は主体部１１の他側縁からフック部５５ａの高さ程度に起立するよう折曲した上向き折曲片６１と、この上向き折曲片６１の上端から外方へ水平に張り出した外向き折曲片６２と、この外向き折曲片６２の外端を下向きに曲げた下向き折曲片６３とを有する形に形成し、この雌側係合片１２の溝幅は前記雄側係合片１３の溝幅より少し広幅に形成している。
【００２９】
この実施例において、天井板１０を屋根下地材１の下方に張付けるには、隣り合う天井板１０，１０のうち、先ず、一方の天井板１０の雄側係合片１３をフック部５５ａに引掛け、次いで他方の天井板１０の雌側係合片１２を前記雄側係合片１３の上側に重なり合うように引掛けるという手順で天井板１０を順次張付けて行けばよい。
したがって、溝形鋼よりなる屋根下地材１に対し天井板１０をネジや保持具を一切用いることなく簡単かつ迅速に張付けることができる。また、第１実施例の場合と同様に、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１のフック部５５ａに対し雌雄側係合片１２，１３同士を引掛けることでつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【００３０】
図８は本発明の第７実施例（請求項１，８記載の発明に対応）を示す天井板の張付け構造の縦断面図であり、この実施例では、屋根下地材１が、垂直フランジ６４とこの垂直フランジ６４の上端に連設した水平フランジ６５とを有する山形鋼よりなり、かつ屋根板７を固定するフックボルト６６をこれのフック部６６ａが垂直フランジ６４の下端縁に係合された状態に備えている。フックボルト６６の上端の雄ねじ部６６ｂは屋根板７の上方へ貫通してナット９で締付けられている。そして、天井板１０は主体部１１の一側縁に、前記フックボルト６６のフック部６６ａに引掛けられる下方開放状の溝形状に形成された雄側係合片１３を、主体部１１の他側縁に、前記雄側係合片１３の上側に重なり合って係合可能な下方開放状の溝形状の雌側係合片１２をそれぞれ連設している。
上記天井板１０の雄側係合片１３は主体部１１の一側縁からフック部６６ａより高い高さに起立するよう折曲した上向き折曲片６９と、この上向き折曲片６９の上端から内方へ水平に張り出した内向き張出片７０、およびこの内向き張出片７０の内端を下向きに曲げた下向き折曲片７１とを有する形に形成している。天井板１０の雌側係合片１２は主体部１１の他側縁からフック部６６ａより高い高さに起立するよう折曲した上向き折曲片７２と、この上向き折曲片７２の上端から外方へ水平に張り出した外向き折曲片７３と、この外向き折曲片７３の外端を下向きに曲げた下向き折曲片７４とを有する形に形成している。この雌側係合片１２の溝幅は雄側係合片１３の溝幅より少し広幅に形成している。
【００３１】
この実施例において、天井板１０を屋根下地材１の下方に張付けるには、隣り合う天井板１０，１０のうち、先ず、一方の天井板１０の雄側係合片１３をフック部６６ａに引掛け、次いで他方の天井板１０の雌側係合片１２を前記雄側係合片１３の上側に重なり合うように引掛けるという手順で天井板１０を順次張付けて行けばよい。
したがって、山形鋼よりなる屋根下地材１に対し天井板１０をネジや保持具を一切用いることなく簡単かつ迅速に張付けることができる。また、第１実施例の場合と同様に、屋根下地材１に穴を開けないため屋根下地材１の強度低下を防ぐことができるとともに、屋根下地材１に穴を開ける時のような振動や切屑が発生せず、既設の屋根板７がスレートである場合も振動による粉塵の飛散を防止できる。さらに、隣り合う天井板１０，１０は屋根下地材１のフック部６６ａに対し雌雄側係合片１２，１３同士を引掛けることでつなぐようにしてあるので、屋根下地材１から照明器具などが吊り下げられている場合は、その吊り下げ部材との干渉を回避するには天井板１０の雌雄係合片１２，１３の一部を切り欠くのみで済むため、この切り欠き加工は、主体部１１の中間部位に穴や切り欠きを加工する場合に比較して容易に加工でき、また外観的にも見映え良く納めることができる。
【図面の簡単な説明】
【００３２】
【図１】本発明の第１実施例を示す天井板の張付け構造の縦断面図である。
【図２】本発明の第２実施例を示す天井板の張付け構造の縦断面図である。
【図３】本発明の第３実施例を示す天井板の張付け構造の縦断面図である。
【図４】本発明の第４実施例を示す天井板の張付け構造の縦断面図である。
【図５】第４実施例の天井板の斜視図である。
【図６】本発明の第５実施例を示す天井板の張付け構造の縦断面図である。
【図７】本発明の第６実施例を示す天井板の張付け構造の縦断面図である。
【図８】本発明の第７実施例を示す天井板の張付け構造の縦断面図である。
【符号の説明】
【００３３】
１  屋根下地材
２  リップ付き溝形鋼のウェブ
３，４  リップ付き溝形鋼の上下フランジ
５，６  リップ付き溝形鋼の上下リップ
７  屋根板
１０  天井板
１２  雌側係合片
１３  雄側係合片
２７  鉤形部
２８  溝部
３４  溝形部
３５  係合孔
４４  溝形鋼のウェブ
４５，４６  溝形鋼の上下フランジ
４４  ウェブ
４５，４６  上下フランジ
５５  フックボルト
５５ａ  フック部
６４  山形鋼の垂直フランジ
６５  山形鋼の水平フランジ
６６  フックボルト
６６ａ  フック部
【図１】
2007239360.tif 000003
【図２】
2007239360.tif 000004
【図３】
2007239360.tif 000005
【図４】
2007239360.tif 000006
【図５】
2007239360.tif 000007
【図６】
2007239360.tif 000008
【図７】
2007239360.tif 000009
【図８】
2007239360.tif 000010